(57)【要約】【課題】環境汚染、汚水汚染、ゴミ問題、不法投棄と難題の多い環境問題の一貫。【解決手段】汚水汚染問題を解決手段として、汚水を外部に一滴たりとも流出を防ぐ方法である、１と２の連築に依り、土壌汚染に役立つ施工法。【選択図】　　　図１
2004114026.tif 000002
【特許請求の範囲】
【請求項１】
枡状に形成された鉄筋コンクリート箱型の焼却灰安全管理型最終処分場アンダーグランド方式で床体の中心部に（７）を埋設し汚水受溝を作成、受溝の各部分に汚水抜管（５，６）を設置二重三重の防備保護を講ずることで目詰まりを防ぐ、焼却灰の汚水は自然に浸透し流出する程度であり、本発明は（１，２）が連体の最終処分場。
【請求項２】
構築設置した、アンダーグランド方式処分場は（１ａ，１ｂ，１Ｃ）と連設することのでき得る施工法で（１）は容量の増量、増数は自由自在で何基でも施工設置が可能な最終処分場で箱体（１）の上部には、組立移動式軽量屋根（４）を設置し隣体（１ｂ，１Ｃ）へ移動を可能にし雨、雪も完全にシャッターアウトする事で汚水汚染を防止する。
【請求項３】
本発明は、構築連設した（１ａ，１ｂ，１Ｃ）の先端から突出した（８）から流出する、ダイオキシン、六価クロム、重金属、その他有害物資を含む汚水は、（２）へ、濾過装置での汚水は槽から槽へと通水しながら浄化され溜池に（２）も雨、雪を防ぐ屋根を設置する事で内外部にも一滴の汚水も水も入出を防ぎ水路、川及び現地、隣地の土壌汚染を防止する。
【請求項４】
アンダーグランド方式最終処分場は、何拾基構築しても（２）は一ヶ所で（１）の汚水処理は可能であり、汚水は外部に浸透させない放流しない事で地域住民に安心を得る、廃棄物焼却灰管理型最終処分場アンダーグランド方式
【発明の詳細な説明】
【０００１】
【発明の属する技術分野】
本発明は、管理型最終処分場の安全性と環境保全に役立つ処分場、別棟に構築設置した濾過装置と連体で、焼却灰汚水処理に最適利用となるアンダーグランド方式に関する。
【０００２】
【従来の技術】
環境問題、汚染問題がクローズアップされる中、廃棄物の排出量はまだまだ減少するには程遠く、資源再利用でき得ない。ゴミは焼却しなければならず、処理する高性能焼却施設及び、安全管理型最終処分場の施設不足等が不可欠な課題である。不法投棄や土壌汚染を始め都市ゴミ焼却灰の行き先、そしてコストの増大と廃棄物の社会問題が引き起こす要因である状況下で昨今、社会的に一番の課題は焼却灰の処理問題である。従来も現在も最終処分場については山中の斜面を利用し穴を掘り下げるか、傾斜面の穴を利用し広大に作成する。そこに遮水シートを張り焼却灰を投入する。処分場では捨場の先端に浄化設備を設置、汚水を浄化して水路又は川に放流している方法であるが、青空処分場に投入される焼却灰の容量は何万、何拾万ｍ３で遮水シートは数年の内に重量に耐えられず亀裂を起こすか破損する。雨、雪、大雨が降れば、青空捨場に溜まった汚水は乱水を起こし。当然浄化不能となり、水路、川へと流れ出る行き先は、海である。その間ダイオキシン、重金属、六価クロム、その他有害物質を地下に浸透させながらである。これが現在の管理型最終処分場の状態で全地域何処でも同じ工法である。
【０００３】
【発明が解決しようとする課題】
本発明は、水路や川、隣地、土壌、海へと汚水汚染を引き起こす問題を解決すべきアンダーグランド方式管理型最終処分場で、有害物質を含む一滴の汚水も外部に流出しない事で従来の最終処分場と比較しても安全である。
【０００４】
【課題を解決するための手段】
上記目的達成のため、本発明の構成は枡状に形成された、箱型鉄筋コンクリートの構築物の最終処分場で、上部には組立移動式屋根を設置する事で雨や雪を防ぎそしてこのアンダーグランド方式は、処分場と濾過装置が一体になった施工で従って地域に汚水汚染、土壌汚染も解決でき得る処分場である。処分場に投入された焼却灰の汚水を一滴たりとも外部に放流しない工法で処分場から濾過装置へ流れ槽に入った汚水は濾過槽で何段階にも通水しながら浄化され溜池へ、従って環境保全に役立つ事である。
【０００５】
【発明の実施の形態】
本発明に係わる、アンダーグランド方式、最終処分場の施工法にあっては、許認可設置済の場所に、枡状の箱型鉄筋コンクリート構造の最終処分場を構築するための埋設可能な整地造成を成す。
【０００６】
大小の枡状の箱型を選択することで、現地の所望の形態アンダーグランド処分場が得ることが可能である。
【０００７】
本発明に係わる施工法は何基でも接続設置ができ得る事で、増量又は増数は自由自在である、得に環境にやさしい、処分場の施工にあっては、処分場の汚水口に接続する、別棟の濾過装置を設置することで汚水を処分場から濾過槽に引き込み浄化する。汚水汚染問題と土壌汚染が解決される。
【０００８】
【実施例】
実施例について図面を参照して説明すると、図１において、最終処分場アンダーグランド方式の全体図である山中の斜面３を利用した、箱型最終処分場１と濾過装置２が連結した構築物。
【０００９】
図２に示されている実施例では、１は１ａ，１ｂ，１Ｃ，と何基でも接続を成しうる構成で、図面では三基体で上部に組立移動４ａを設置４ｂ，４Ｃも同じである。従って１に焼却灰を投入しても雨雪でも、汚水を増水させぬ工法。
【０００１０】
図３に示される実施例では、１と２が連体となった、アンダーグランド方式焼却灰最終処分場１Ｃから１０と流水し、水質にはダイオキシン、六価クロム、有害物資を含む汚水で、２ａに流入し２ｂを通水して２Ｃを通り次から次へと浄化して、浄化器２Ｒで最終浄化され溜池２Ｈに従って外部に一滴の汚水も流出させない。
【０００１１】
図４に示されている実施例では、１と２の連設した、平面図で１と２が一体に形成された汚水の流れを示す、８、９、１０から２に流出し浄化されるこのアンダーグランド方式は、１が何基設置しても２は一基の構築で可能である工法。
【０００１２】
図５に示されている実施例では、汚水受溝を低体の中心部に７及び合間置に５を設置し５には目詰を防ぐための６を被せ保護する。しかし目詰を起こした場合を想定して１ｂの１２ｂは明け置き１ａの７に溜まったゴミ汚水を除去する。従って１ａの使用が終了後に１ｂを使用する。
【０００１３】
図６に示されている実施例では、１ａと１ｂ及び１ｂと１Ｃの接続のジョイント枡で１３、１４を使用し水漏れを防ぎ１２はコンクリートで埋設する。
【０００１４】
【発明の効果】
この発明に係るアンダーグランド方式最終処分場は、従来の処分場と比較しても水質汚染や土壌汚染に安全で安心であることであり、現地隣地の汚染にも心配なく、これからの処分場には非常に利用価値の得る方法で環境汚染、環境保全に役立つ解決策である。
【図面の簡単な説明】
【図１】処分場と濾過装置及び傾斜地を示した断面図である。
【図２】処分場３基連体と汚水溝の断面図である。
【図３】濾過装置の汚水の流れを示した断面図である。
【図４】汚水の流れを示した処分場と濾過槽の平面図である。
【図５】処分場と処分場の接続断面図である。
【図６】汚水管と汚水抜溝及びその部品の断面図である。
【符号の説明】
１　　　　本体処分場　１ａ、１ｂ、１Ｃ
２　　　　濾過装置　　２ａ、２ｂ、２Ｃ、２Ｄ、２Ｅ、２Ｆ
３　　　　傾斜地
４　　　　移動式屋根
５　　　　汚水受半月盤
６　　　　鉄筋保護網
７　　　　接続ビニール管（水道管）
８　　　　汚水抜エルボ
９　　　　汚水枡
１０　　　パイプ管
１１　　　ポンプ車出入口
１２　　　ジョイント枡
１３　　　パッキン
１４　　　コーキング
１５　　　遮水シート（終了後使用）
１６　　　盛土（終了後）
１７　　　移動キャスター
２Ｒ　　　浄化器
２Ｈ　　　溜池
【図１】
2004114026.tif 000003
【図２】
2004114026.tif 000004
【図３】
2004114026.tif 000005
【図４】
2004114026.tif 000006
【図５】
2004114026.tif 000007
【図６】
2004114026.tif 000008